(57)【要約】    【課題】  駐車場での入出庫時の待ち時間を解消し、利用者の利便性を向上させる。    【解決手段】  駐車スペース１１の駐車状況を検出する車両検出手段１２と、該車両検出手段の検出結果を基に駐車場２の駐車状況を管理する制御装置７とを具備し、車両の駐車は前記制御装置に入力される駐車予約設定に従って行われ、駐車状況の管理は前記駐車予約設定を基に管理される。    【選択図】          図１
2005092557.tif 000002
【特許請求の範囲】
【請求項１】
駐車スペースの駐車状況を検出する車両検出手段と、該車両検出手段の検出結果を基に駐車場の駐車状況を管理する制御装置とを具備し、車両の駐車は前記制御装置に入力される駐車予約設定に従って行われ、駐車状況の管理は前記駐車予約設定を基に管理されることを特徴とする駐車場の入出庫管理システム。
【請求項２】
前記制御装置はインターネット等のネットワークに接続され、前記駐車予約設定は前記ネットワークを介して行われる請求項１の駐車場の入出庫管理システム。
【請求項３】
前記制御装置は前記駐車予約設定に基づき、空き予定を演算可能な請求項１の駐車場の入出庫管理システム。
【請求項４】
前記制御装置はネットワーク上に開設されたホームページに接続され、駐車場の空き状態、空き予定は前記ホームページに掲載される請求項２の駐車場の入出庫管理システム。
【請求項５】
駐車スペースの駐車状況を検出する車両検出手段と、該車両検出手段の検出結果を基に駐車場の駐車状況を管理する制御装置とを具備し、車両の駐車は前記制御装置に入力される駐車予約設定に従って行われ、駐車状況の管理は前記駐車予約設定を基に管理する駐車場を複数有し、前記制御装置はインターネット等のネットワークに接続され、前記駐車予約設定は前記駐車場のいずれかについて前記ネットワークを介して行われることを特徴とする駐車場の入出庫管理システム。
【発明の詳細な説明】
【技術分野】
【０００１】
本発明は、入出庫時間を予約管理して、待ち時間なく入出庫が行える様にした駐車場の入出庫管理システムに関するものである。
【背景技術】
【０００２】
従来、駐車場を利用する場合、直接駐車場に車両を運転して行き駐車していた。又、市街地の駐車場等では、必ずしも空きがあるとは限らず、満杯の場合は、空きが出る迄、駐車場の待機スペースで待っているのが通常であった。ところが、混雑時には待機スペースで空き待ち車両を収納することができず、車両が公道に迄食出して、縦列駐車状態となり、交通渋滞の原因となることがある。
【０００３】
尚、待ち時間なく、車両を駐車できるシステムとして例えば特許文献１、特許文献２に示されるものがある。
【０００４】
特許文献１、特許文献２に示されるシステムでは、機械式の無人駐車場に於いてネットワーク或は電話回線を利用して、駐車場に入出庫の指示を送信し、駐車場が指示を受信すると、事前に機械を駆動して入出庫の準備をし、利用者が機械を操作して入出庫の準備を行う時間を短縮するというものである。
【０００５】
然し乍ら、特許文献１、特許文献２では入出庫作業そのものを短縮することが目的であり、渋滞時の待ち時間を解消することについては考慮されていない。
【０００６】
【特許文献１】特開平１１−３３６３５９号公報
【０００７】
【特許文献２】特開２００２−３０８２３号公報
【発明の開示】
【発明が解決しようとする課題】
【０００８】
本発明は斯かる実情に鑑み、駐車場での入出庫時の待ち時間を解消し、利用者の利便性を向上させようとするものである。
【課題を解決するための手段】
【０００９】
本発明は、駐車スペースの駐車状況を検出する車両検出手段と、該車両検出手段の検出結果を基に駐車場の駐車状況を管理する制御装置とを具備し、車両の駐車は前記制御装置に入力される駐車予約設定に従って行われ、駐車状況の管理は前記駐車予約設定を基に管理される駐車場の入出庫管理システムに係るものである。
【００１０】
又本発明は、前記制御装置はインターネット等のネットワークに接続され、前記駐車予約設定は前記ネットワークを介して行われる駐車場の入出庫管理システムに係り、又前記制御装置は前記駐車予約設定に基づき、空き予定を演算可能な駐車場の入出庫管理システムに係り、又前記制御装置はネットワーク上に開設されたホームページに接続され、駐車場の空き状態、空き予定は前記ホームページに掲載される駐車場の入出庫管理システムに係るものである。
【００１１】
更に又本発明は、駐車スペースの駐車状況を検出する車両検出手段と、該車両検出手段の検出結果を基に駐車場の駐車状況を管理する制御装置とを具備し、車両の駐車は前記制御装置に入力される駐車予約設定に従って行われ、駐車状況の管理は前記駐車予約設定を基に管理する駐車場を複数有し、前記制御装置はインターネット等のネットワークに接続され、前記駐車予約設定は前記駐車場のいずれかについて前記ネットワークを介して行われる駐車場の入出庫管理システムに係るものである。
【発明の効果】
【００１２】
本発明によれば、駐車スペースの駐車状況を検出する車両検出手段と、該車両検出手段の検出結果を基に駐車場の駐車状況を管理する制御装置とを具備し、車両の駐車は前記制御装置に入力される駐車予約設定に従って行われ、駐車状況の管理は前記駐車予約設定を基に管理されるので、入庫する場合の待ち時間が生じることがなく、車両が公道に迄食出して、交通渋滞の原因となることがない。又、入出庫が待ち時間なく行えると共に駐車状況が平均化されるので駐車場の稼働率が向上する。
【００１３】
又本発明は、前記制御装置はインターネット等のネットワークに接続され、前記駐車予約設定は前記ネットワークを介して行われ、又ネットワーク上に開設されたホームページに接続され、駐車場の空き状態、空き予定は前記ホームページに掲載されるので、多数の利用者を対象とすることができ、駐車場の利用率が高まると共に利用者の利便性が向上する。
【００１４】
又本発明は、駐車スペースの駐車状況を検出する車両検出手段と、該車両検出手段の検出結果を基に駐車場の駐車状況を管理する制御装置とを具備し、車両の駐車は前記制御装置に入力される駐車予約設定に従って行われ、駐車状況の管理は前記駐車予約設定を基に管理する駐車場を複数有し、前記制御装置はインターネット等のネットワークに接続され、前記駐車予約設定は前記駐車場のいずれかについて前記ネットワークを介して行われるので、複数の駐車場の利用率が平均化され、駐車場の稼働率が向上すると共に利用者の予約設定が容易になる等利便性も高まる等の優れた効果を発揮する。
【発明を実施するための最良の形態】
【００１５】
以下、図面を参照しつつ本発明を実施する為の最良の形態を説明する。
【００１６】
図１中、１はインターネット等のネットワーク、２は駐車場であり、３は携帯電話等の携帯通信端末機、４はパーソナルコンピュータ（ＰＣ）、好ましくはノートＰＣ等の通信機能を有する通信端末機であり、前記携帯通信端末機３、前記ＰＣ４は前記インターネット１と接続可能である。該インターネット１にはサーバー６（後述）を介してホームページが開設される。
【００１７】
前記駐車場２は、前記インターネット１と接続されたサーバー６、該サーバー６と通信可能な制御装置７、該制御装置７によって開閉される入庫ゲート８、出庫ゲート９、駐車スペース１１、在車検出器１２、車両識別器１３等から構成されている。
【００１８】
又、前記制御装置７は、表示部１４、演算処理部１５、記憶部１６、該記憶部１６に格納された駐車管理プログラム１７等から構成されている。
【００１９】
本駐車場の入出庫管理システムに於ける車両の駐車は、利用者が予め駐車時間を設定して利用する様になっている。即ち、利用者が前記制御装置７から直接利用時間を設定し、入庫駐車するか、或は前記携帯通信端末機３、ＰＣ４から前記インターネット１、サーバー６を介して前記制御装置７に駐車時間を予約して設定し、予約時間に入庫駐車する様になっている。
【００２０】
前記制御装置７の演算処理部１５は前記駐車管理プログラム１７に基づき車両の入出庫を管理する。該駐車管理プログラム１７は、前記サーバー６から前記制御装置７に入力された予約状況を管理し、又前記在車検出器１２から前記制御装置７に入力される情報を基に駐車場の駐車状態、入出庫のスケジュール等を管理する。
【００２１】
前記演算処理部１５は、前記駐車管理プログラム１７に基づき、直接或は予約により設定された駐車時間を識別データと共に前記記憶部１６に記憶させ、又入庫する車両の識別データが、該記憶部１６に設定された識別データと合致するか否かの判断を行う。更に前記演算処理部１５は、入庫した車両が駐車したかどうかの判断、駐車開始時間、駐車時間、駐車終了時間を前記在車検出器１２からの信号で検出管理する。
【００２２】
又、前記演算処理部１５は、前記駐車管理プログラム１７に基づき駐車時間が設定時間内であるかの判断を行い、駐車時間が設定時間より長くなった場合は、前記サーバー６、前記インターネット１を介し前記携帯通信端末機３、ＰＣ４に時間がオーバーした旨の通知、警告を発する様になっている。
【００２３】
又、本駐車場の入出庫管理システムでは、駐車時間を利用者が設定して駐車を行うので、設定されたデータにより駐車状況を予め把握することができ、前記演算処理部１５は空き予定を演算可能であり、又空き予定を該演算処理部１５に記録し、又リアルタイムに更新して空き状態、空き予定を前記サーバー６を介してホームページ上に掲載する。利用者は、前記インターネット１を介して前記携帯通信端末機３、ＰＣ４で確認できる様になっている。又、前記表示部１４には空き予定がリアルタイムで表示される様になっており、利用者は駐車場の表示からも空き状態、空き予定を確認できる。
【００２４】
以下、作動について説明する。
【００２５】
利用者は先ず、前記インターネット１を利用して、駐車場のホームページ（図示せず）を開き、該ホームページ上で前記駐車場２の空き予定を確認し、予定した時間に空きがあれば、前記携帯通信端末機３により前記インターネット１を介して予約を行う。この時、識別データを入力する。識別データは例えば前記携帯通信端末機（携帯電話）３の電話番号、メールアドレス等が好ましく、電話番号、メールアドレス等にすれば駐車場側から利用者への連絡が可能となる。
【００２６】
予約が確定すると、前記制御装置７から確認のデータが前記携帯通信端末機３に送出され、利用者は駐車の予約ができたことを確認できる。
【００２７】
利用者は予定時間に、前記駐車場２に行き、前記制御装置７に識別データを入力する。入力の方法としては、例えば携帯通信端末機３からインターネット１を介して制御装置７に電話し、識別データを入力する。又、駐車場に到着する前に確認の通信を行い、到着時間が明確な時は、到着時間を入力する。到着時間又は到着時間に対して所定時間幅内に車両が到着し、前記車両識別器１３が車両を確認した場合に前記入庫ゲート８が開放される。到着時間を事前に入力することで、入出庫を円滑に行える。
【００２８】
又、駐車場に到達し、利用者が前記制御装置７が具備している操作部（図示せず）から識別データを入力してもよい。
【００２９】
前記制御装置７は、入力された識別データと予約時間が一致していれば、前記入庫ゲート８を開放する。尚、該入庫ゲート８のゲート開放の条件としては、駐車場利用者が予定時間より遅れることも考慮し、入庫時間は予定時間を経過していればよいものとする。又、識別データは、例えば車両番号でもよい。この場合、前記車両識別器１３が車両番号を読取り、読取り結果を前記制御装置７に入力し、該制御装置７が車両番号が予約したものと一致するかどうかを判断する。
【００３０】
予約した車両が駐車したかどうかは、前記駐車スペース１１の在車検出器１２によって検出され、駐車開始時間、駐車時間が検出され、検出結果は前記制御装置７に入力される。該制御装置７は、前記在車検出器１２からの信号により駐車時間を演算し、駐車時間が予約時間内であるかどうかを判断する。
【００３１】
駐車状態を解消して、利用者が出庫する場合、前記携帯通信端末機３により出庫時間を識別データと共に予め前記制御装置７に通信しておくと、前記出庫ゲート９側の車両識別器１３が出庫時間に車両を確認することで、前記出庫ゲート９が開放され出庫が可能となる。尚、出庫の設定は、利用者が制御装置７の操作部（図示せず）から直接行ってもよい。
【００３２】
予約時間以内に出庫した場合、予約により設定した駐車が完了したとして、前記演算処理部１５内部の記憶がリセットされる。尚、駐車履歴は、所定期間前記記憶部１６に保存しておいてもよいし、予約設定がリセットされる毎に消去してもよい。又、予約時間を経過しても尚、駐車状態が継続している場合は、前記制御装置７は前記サーバー６、インターネット１を介して前記携帯通信端末機３等に駐車予約時間をオーバーしたことを通知、又警告を行う。
【００３３】
尚、出庫が予約時間通りに実行される様に、予約時間内に出庫した場合は、駐車料金の割引を行い、又予約時間を超えた場合は、割増料金等を設定し、利用者が予約設定通り入出庫を実行する様な環境を設定する。又、利用者は予め駐車時間が延長する状況となった場合、前記携帯通信端末機３により駐車の延長を設定することができる。駐車延長の設定は、前記駐車スペース１１の空きがある場合に許可され、利用者は該駐車スペース１１の空きがあるかを確認して駐車の延長を設定する。
【００３４】
駐車場の利用者は、前記インターネット１により駐車状況を確認し予約を行うので、待ち時間なく駐車が可能となる。
【００３５】
次に、直接前記駐車場２に来た利用者も、前記駐車スペース１１の空きがある場合は、前記制御装置７の操作部（図示せず）より直接駐車の設定を行うことができる。前記表示部１４に空き状態、空き予定が表示されているので、直接駐車の設定が可能であるかどうかは該表示部１４の表示から直ちに判断できる。
【００３６】
上記した如く、駐車場の利用は駐車の設定を基に管理されるので、待ち時間が生じることがなく、車両が公道に迄食出して、交通渋滞の原因となることがない。
【００３７】
上記駐車場の入出庫管理システムでは、単一の駐車場に関して説明したが、複数の駐車場を対象としてもよい。複数の駐車場を個々に管理した場合、混んでいる駐車場と空いている駐車場と混在する可能性があるが、同一の駐車場の入出庫管理システムにより管理すれば利用状態が平均化され、駐車場の稼働率が向上すると共に利用者の利便性も高まる。
【００３８】
図２は、複数の駐車場を管理する場合を示している。
【００３９】
駐車場２ａ，２ｂ，２ｃはそれぞれ図１で示したと同様な構成を具備しており、インターネット１上で共通のホームページを有し、該共通のホームページ上に各駐車場２ａ，２ｂ，２ｃのホームページが登録され、各ホームページで個別に駐車場の空き予定が確認できる様になっている。
【００４０】
利用者が、携帯通信端末機３を介して前記共通のホームページ上で前記駐車場２ａ，２ｂ，２ｃのいずれかのホームページを選択すると、前記携帯通信端末機３と選択された例えば駐車場２ａのホームページが接続される。
【００４１】
接続された後は、図１で示したと同様な手順で予約を行い、駐車場を利用する。
【００４２】
図３は、複数の駐車場を一括管理する場合を示している。
【００４３】
即ち、共通のホームページ、共通のサーバー６を有し、利用者は共通のホームページで複数の駐車場を対象として空き状態、空き予約が確認できる。利用者からの予約はホームページ上で設定されサーバー６を介して適宜な規則性（例えば２ａ，２ｂ，２ｃ，２ａ，２ｂ，…等のローテーション）に基づき順次、駐車予約が駐車場２ａ，２ｂ，２ｃに振分けられる等である。駐車場が決定すると、利用者に駐車すべき駐車場名が知らされ、利用者は決定された駐車場を利用する。
【００４４】
駐車場が決定した後の手順については前述したと同様である。
【００４５】
尚、上記実施の形態では、平面的な駐車場を示したが立体的な機械式駐車場に於いても同様に実施可能であることは言う迄もない。
【図面の簡単な説明】
【００４６】
【図１】本発明の実施の形態を示す説明図である。
【図２】本発明の他の実施の形態を示す説明図である。
【図３】本発明の更に他の実施の形態を示す説明図である。
【符号の説明】
【００４７】
１              インターネット
２              駐車場
３              携帯通信端末機
４              ＰＣ
６              サーバー
７              制御装置
８              入庫ゲート
９              出庫ゲート
１１            駐車スペース
１２            在車検出器
１３            車両識別器
１４            表示部
１５            演算処理部
１６            記憶部
１７            駐車管理プログラム
【図１】
2005092557.tif 000003
【図２】
2005092557.tif 000004
【図３】
2005092557.tif 000005